(57)【要約】【課題】いわゆるセンタ給電型の住戸機の接続台数を各系統毎に容易に確認可能とする。【解決手段】給電装置は、それぞれに１乃至複数のセンタ給電型の住戸機2Aが接続される複数系統の線路6A，6Bと接続され、線路6A，6Bに接続されているセンタ給電型の住戸機2Aの接続台数を、複数系統の線路6A，6B毎に判別する制御部10を備える。したがって、センタ給電型の住戸機の接続台数を各系統毎に容易に確認可能となる。【選択図】        図１
2015032973.tif 000002
【特許請求の範囲】
【請求項１】
集合住宅の共用玄関に設置される共用玄関機と、前記集合住宅の各住戸に設置されて前記共用玄関機と複数系統の線路を介して接続される複数の住戸機と、前記線路を介して１乃至複数の前記住戸機に給電する給電装置とを有し、前記線路は、通信用の通信路と給電用の給電路を有し、
前記複数の住戸機は、前記給電路を介して給電される電力で動作するセンタ給電型の住戸機と、前記住戸に配電される電力で動作するローカル給電型の住戸機とを含み、
前記給電装置は、それぞれに１乃至複数の前記センタ給電型の住戸機が接続される複数系統の前記線路と接続され、前記線路に接続されている前記センタ給電型の住戸機の接続台数を、複数系統の前記線路毎に判別する判別手段を備えることを特徴とする集合住宅用インターホンシステム。
【請求項２】
前記判別手段は、前記給電路を介した給電中に前記通信路を介して通信可能な前記住戸機の台数と、前記給電路を介して給電していない非給電中に前記通信路を介して通信可能な前記住戸機の台数との差分から前記センタ給電型の住戸機の接続台数を演算するように構成されることを特徴とする請求項１記載の集合住宅用インターホンシステム。
【請求項３】
前記判別手段は、前記給電路を介した給電中に、種別を問い合わせるためのメッセージを前記通信路を介して一斉同報し、
前記住戸機は、前記通信路を介して前記メッセージを受け取った場合、自らがローカル給電型とセンタ給電型の何れであるかを示す応答メッセージを前記通信路を介して前記給電装置に返信し、
前記判別手段は、前記通信路を介して受け取る前記応答メッセージの内容に基づいて前記センタ給電型の住戸機の接続台数を判別するように構成されることを特徴とする請求項１記載の集合住宅用インターホンシステム。
【請求項４】
前記判別手段は、種別を問い合わせるための前記メッセージの一斉同報を前記系統毎に順番に行うように構成されることを特徴とする請求項３記載の集合住宅用インターホンシステム。
【請求項５】
前記給電装置は、各系統の前記給電路に流れる電流を各別に計測する電流計測手段を備え、前記判別手段は、前記電流計測手段が計測する電流値が前記給電路における上限値を下回っている場合に前記接続台数の演算を行い、前記電流値が前記上限値以上の場合には前記接続台数の演算を行わないように構成されることを特徴とする請求項２〜４の何れか１項に記載の集合住宅用インターホンシステム。
【請求項６】
前記給電装置は、複数系統の前記線路の中の何れかの系統の前記線路において、前記判別手段が判別した前記接続台数が所定台数を超えていることを報知する報知手段を備えることを特徴とする請求項１〜５の何れか１項に記載の集合住宅用インターホンシステム。
【請求項７】
前記給電装置は、複数系統の前記線路の中の何れかの系統の前記線路において、前記判別手段が判別した前記接続台数が所定台数を超えている場合、前記接続台数が前記所定台数を超えている前記線路の前記給電路への給電を停止するように構成されることを特徴とする請求項１〜６の何れか１項に記載の集合住宅用インターホンシステム。
【請求項８】
前記判別手段は、所定の条件が満たされた場合に前記接続台数の判別を行うように構成されることを特徴とする請求項１〜７の何れか１項に記載の集合住宅用インターホンシステム。
【請求項９】
前記判別手段は、前記給電装置が電源投入されることを前記条件とするように構成されることを特徴とする請求項８記載の集合住宅用インターホンシステム。
【請求項１０】
前記判別手段は、所定の操作入力を受け付けることを前記条件とするように構成されることを特徴とする請求項８記載の集合住宅用インターホンシステム。
【請求項１１】
前記給電装置が前記共用玄関機と一体に構成されることを特徴とする請求項１〜１０の何れか１項に記載の集合住宅用インターホンシステム。
【請求項１２】
請求項１〜１１の何れかの集合住宅用インターホンシステムに用いられる給電装置であって、それぞれに１乃至複数の前記センタ給電型の住戸機が接続される複数系統の前記線路と接続され、前記線路に接続されている前記センタ給電型の住戸機の接続台数を、複数系統の前記線路毎に判別する前記判別手段を備えることを特徴とする集合住宅用インターホンシステムの給電装置。
【発明の詳細な説明】
【技術分野】
【０００１】
本発明は、集合住宅用インターホンシステム及びその給電装置に関する。
【背景技術】
【０００２】
従来例として、特許文献１記載の集合住宅用ドアホンカメラシステムを例示する。この従来例は、集合住宅の入口に設置される室外器と、集合住宅の各世帯にそれぞれ設置される複数の室内器と、室外器と各室内器を接続する通信線と、通信線を介して各室内器に直流電力を供給する電力供給器とを備える。つまり、各世帯(住戸)に設置される室内器は、通信線を介して電力供給器から給電されるため、各住戸において、室内器に給電するための専用の電気配線が不要となり、施工が容易になるという利点がある。
【０００３】
ここで、室内器(住戸機)には電力供給器(給電装置)から給電される型式の他に、各住戸の住宅盤を通じて電力系統から給電する型式のものも存在する。前者をセンタ給電型と呼び、後者をローカル給電型と呼ぶことにする。つまり、電力供給器(給電装置)は、センタ給電型の室内器(住戸機)に給電する役割を担っている。
【先行技術文献】
【特許文献】
【０００４】
【特許文献１】特開昭６３−６７０８８号公報
【発明の概要】
【発明が解決しようとする課題】
【０００５】
ところで、１台の給電装置が同時に給電可能な住戸機(センタ給電型の住戸機)の台数には限りがある。したがって、ローカル給電型の住戸機がセンタ給電型の住戸機に交換される場合や、センタ給電型の住戸機が追加される場合、給電線を介して給電装置に接続されているセンタ給電型の住戸機の台数が許容される台数に収まるようにしなければならない。特に、階毎に系統を分ける場合や、複数の棟を有するマンションでは、給電装置に複数系統の給電線が接続され、系統毎に複数台の住戸機が接続されるため、当該系統毎にセンタ給電型の住戸機の台数が許容される台数に収まるようにしなければならない。
【０００６】
しかしながら、給電装置に接続されているセンタ給電型の住戸機の台数を知るためには、集合住宅の設計図や仕様書に基づいて住戸機の種類を確認したり、あるいは、人が各住戸に出向いて住戸機の種類を確認する必要があり、非常に手間が掛かっていた。
【０００７】
本発明は、上記課題に鑑みて為されたものであり、いわゆるセンタ給電型の住戸機の接続台数を各系統毎に容易に確認可能とすることを目的とする。
【課題を解決するための手段】
【０００８】
本発明の集合住宅用インターホンシステムは、集合住宅の共用玄関に設置される共用玄関機と、前記集合住宅の各住戸に設置されて前記共用玄関機と複数系統の線路を介して接続される複数の住戸機と、前記線路を介して１乃至複数の前記住戸機に給電する給電装置とを有し、前記線路は、通信用の通信路と給電用の給電路を有し、前記複数の住戸機は、前記給電路を介して給電される電力で動作するセンタ給電型の住戸機と、前記住戸に配電される電力で動作するローカル給電型の住戸機とを含み、前記給電装置は、それぞれに１乃至複数の前記センタ給電型の住戸機が接続される複数系統の前記線路と接続され、前記線路に接続されている前記センタ給電型の住戸機の接続台数を、複数系統の前記線路毎に判別する判別手段を備えることを特徴とする。
【０００９】
この集合住宅用インターホンシステムにおいて、前記判別手段は、前記給電路を介した給電中に前記通信路を介して通信可能な前記住戸機の台数と、前記給電路を介して給電していない非給電中に前記通信路を介して通信可能な前記住戸機の台数との差分から前記センタ給電型の住戸機の接続台数を演算するように構成されることが好ましい。
【００１０】
この集合住宅用インターホンシステムにおいて、前記判別手段は、前記給電路を介した給電中に、種別を問い合わせるためのメッセージを前記通信路を介して一斉同報し、前記住戸機は、前記通信路を介して前記メッセージを受け取った場合、自らがローカル給電型とセンタ給電型の何れであるかを示す応答メッセージを前記通信路を介して前記給電装置に返信し、前記判別手段は、前記通信路を介して受け取る前記応答メッセージの内容に基づいて前記センタ給電型の住戸機の接続台数を判別するように構成されることが好ましい。
【００１１】
この集合住宅用インターホンシステムにおいて、前記判別手段は、種別を問い合わせるための前記メッセージの一斉同報を前記系統毎に順番に行うように構成されることが好ましい。
【００１２】
この集合住宅用インターホンシステムにおいて、前記給電装置は、各系統の前記給電路に流れる電流を各別に計測する電流計測手段を備え、前記判別手段は、前記電流計測手段が計測する電流値が前記給電路における上限値を下回っている場合に前記接続台数の演算を行い、前記電流値が前記上限値以上の場合には前記接続台数の演算を行わないように構成されることが好ましい。
【００１３】
この集合住宅用インターホンシステムにおいて、前記給電装置は、複数系統の前記線路の中の何れかの系統の前記線路において、前記判別手段が判別した前記接続台数が所定台数を超えていることを報知する報知手段を備えることが好ましい。
【００１４】
この集合住宅用インターホンシステムにおいて、前記給電装置は、複数系統の前記線路の中の何れかの系統の前記線路において、前記判別手段が判別した前記接続台数が所定台数を超えている場合、前記接続台数が前記所定台数を超えている前記線路の前記給電路への給電を停止するように構成されることが好ましい。
【００１５】
この集合住宅用インターホンシステムにおいて、前記判別手段は、所定の条件が満たされた場合に前記接続台数の判別を行うように構成されることが好ましい。
【００１６】
この集合住宅用インターホンシステムにおいて、前記判別手段は、前記給電装置が電源投入されることを前記条件とするように構成されることが好ましい。
【００１７】
この集合住宅用インターホンシステムにおいて、前記判別手段は、所定の操作入力を受け付けることを前記条件とするように構成されることが好ましい。
【００１８】
この集合住宅用インターホンシステムにおいて、前記給電装置が前記共用玄関機と一体に構成されることが好ましい。
【００１９】
本発明の集合住宅用インターホンシステムの給電装置は、前記何れかの集合住宅用インターホンシステムに用いられる給電装置であって、それぞれに１乃至複数の前記センタ給電型の住戸機が接続される複数系統の前記線路と接続され、前記線路に接続されている前記センタ給電型の住戸機の接続台数を、複数系統の前記線路毎に判別する前記判別手段を備えることを特徴とする。
【発明の効果】
【００２０】
本発明の集合住宅用インターホンシステム及びその給電装置は、線路に接続されているセンタ給電型の住戸機の接続台数を、複数系統の線路毎に判別する判別手段を給電装置に備えているので、いわゆるセンタ給電型の住戸機の接続台数を各系統毎に容易に確認可能とすることができるという効果がある。
【図面の簡単な説明】
【００２１】
【図１】本発明に係る集合住宅用インターホンシステム及び給電装置の実施形態を示すシステム構成図である。
【図２】同上の動作説明用のシーケンス図である。
【図３】同上におけるロビーインターホンの別の構成を示すブロック図である。
【発明を実施するための形態】
【００２２】
以下、本発明に係る集合住宅用インターホンシステム及び給電装置の実施形態について、図面を参照して詳細に説明する。
【００２３】
図１に本実施形態の集合住宅用インターホンシステム(住宅情報盤システム)のシステム構成図を示す。このシステムは、集合住宅の共用玄関に設置される共用玄関機(ロビーインターホン１)と、集合住宅の各住戸に設置されてロビーインターホン１と線路(幹線ケーブル６)を介して接続される複数の住戸機(住宅情報盤)２とを有する。
【００２４】
幹線ケーブル６は、制御信号を伝送するための制御線(図示せず)と、音声信号及び映像信号を伝送するための通信線(通信路)61と、給電用の電源線(給電路)60とを有している。
【００２５】
幹線ケーブル６には分岐器４が挿入されており、分岐器４で分岐された線路(住戸ケーブル)が住戸機２に接続されている。なお、住戸ケーブルは、幹線ケーブル６の制御線から分岐される制御線(図示せず)と、幹線ケーブル６の通信線61から分岐される通信線63と、幹線ケーブル６の電源線60から分岐される電源線62とを有している。
【００２６】
ここで、本実施形態の集合住宅用インターホンシステムは、複数系統(図示例では２系統)の幹線ケーブル６を有し、各幹線ケーブル６に複数の分岐器４が挿入されている。なお、以下の説明では、「A」，「B」の符号を付加して各系統の幹線ケーブル６及び住戸ケーブルを区別する。
【００２７】
ロビーインターホン１は、図１に示すように制御部10、給電部11、通信部12、音声入出力部13、撮像部14、入力受付部15、電源部16、開閉器17A，17Bなどを備える。
【００２８】
音声入出力部13は、マイクロホン(図示せず)から出力されるアナログの音声信号をディジタルの音声信号(送話音声データ)に変換して制御部10に渡す。また、音声入出力部13は、制御部10から受け取るディジタルの音声信号(受話音声データ)をアナログの音声信号に変換するとともに、アナログの音声信号をスピーカ(図示せず)に出力することでスピーカに受話音声を鳴動させる。
【００２９】
撮像部14は、CMOS(Complementary Metal Oxide Semiconductor)イメージセンサなどの撮像素子、撮像素子に光を集光するレンズなどの光学系、撮像素子から出力される映像信号をディジタルの映像データに変換する映像処理回路などで構成される。そして、映像データは撮像部14から制御部10に渡される。
【００３０】
入力受付部15は、テンキースイッチや押釦スイッチなどの入力デバイスを有し、入力デバイスが操作されることで種々の操作入力を受け付けるとともに、それぞれの操作入力に応じた操作信号を制御部10に出力する。制御部10は、CPUやメモリなどのハードウェアと、CPUで実行される種々のプログラム(ソフトウェア)とで構成される。例えば、何れかの住戸の住戸番号がテンキースイッチによって押操作されると、入力受付部15が前記住戸番号の操作入力を受け付けて住戸番号入力の操作信号を出力する。制御部10では、入力受付部15から住戸番号入力の操作信号を受け取ると、当該住戸の住戸機２を呼び出すための制御データを生成する。そして、制御部10で生成された制御データを含む制御信号が、通信部12から通信線61A，61Bを介して住戸機２に宛てて送信される。
【００３１】
また、給電部11は、センタ給電型の住戸機２(2A)に供給するための電力(直流電力)を生成するものであって、例えば、外部電源(商用の交流電源５)から供給される交流の電圧・電流を直流の電圧・電流に変換するＡＣ／ＤＣコンバータで構成される。すなわち、本実施形態においては、制御部10と給電部11からなる給電装置が共用玄関機であるロビーインターホン１と一体に構成されている。ここで、給電部11は、ＡＣ／ＤＣコンバータを２つ備えている。一方のＡＣ／ＤＣコンバータの出力端が、開閉器17Aを介して一方の幹線ケーブル6Aの給電線60Aに接続され、他方のＡＣ／ＤＣコンバータの出力端が、開閉器17Bを介して他方の幹線ケーブル6Bの給電線60Bに接続される。なお、これら２つの開閉器17A，17Bは、何れも制御部10に制御されて開閉する。
【００３２】
通信部12は、制御部10で生成される制御データを含むパケット(制御パケット)を作成し、同じく制御部10から渡される映像データ及び音声データ(送話音声データ)を含むパケット(映像パケット及び音声パケット)を作成する。さらに通信部12は、制御パケットや映像パケット、音声パケットを符号化するとともに符号化されたビット列を電気信号(制御信号、映像信号、音声信号)に変換(変調)し、制御線及び通信線61A，61Bに流す。なお、通信部12は、制御信号を制御線に流し、映像信号と音声信号を通信線61A，61Bに流す。
【００３３】
また通信部12は、制御線及び通信線61A，61Bに流れる電気信号をビット列に変換(復調)するとともに復調されたビット列からパケット(制御パケット及び音声パケット)を復号化する。ただし、通信部12は、復号化したパケットの宛先アドレスが自己のアドレスに一致しない場合は当該パケットを破棄し、一致する場合は当該パケットのデータフィールドに含まれるデータ(制御データ及び音声データ)を復号化して制御部10に渡す。
【００３４】
電源部16は、交流電源５から供給される交流電圧・電流を直流電圧・電流に変換して各部10，12〜15に供給する。
【００３５】
本実施形態の集合住宅用インターホンシステムでは、２種類の給電方式(センタ給電型とローカル給電型)の住戸機２が混在している。センタ給電型の住戸機2Aは、ロビーインターホン１の給電部11から給電路(電源線60，62)を介して給電される電力(直流電力)で動作する。ローカル給電型の住戸機2Bは、各住戸に配電される商用の交流電源５から直流電源を生成して動作する。
【００３６】
センタ給電型の住戸機2Aは、図１に示すように住戸機制御部20、受電部21、通信部22、音声入出力部23、映像表示部24、入力受付部25、ドアホン通信部26などを備える。なお、ローカル給電型の住戸機2Bは、受電部21の代わりに、交流電源５から供給される交流電力を直流電力に変換する電源回路を備えている点を除けば、センタ給電型の住戸機2Aと共通の構成を有している。よって、ローカル給電型の住戸機2Bの構成については図示並びに説明を省略する。
【００３７】
音声入出力部23は、マイクロホン(図示せず)から出力されるアナログの音声信号をディジタルの音声信号(送話音声データ)に変換して住戸機制御部20に渡す。また、音声入出力部23は、住戸機制御部20から受け取るディジタルの音声信号(受話音声データ)をアナログの音声信号に変換するとともに、アナログの音声信号をスピーカ(図示せず)に出力することでスピーカに受話音声を鳴動させる。
【００３８】
映像表示部24は液晶ディスプレイや有機ＥＬディスプレイなどの表示デバイスと、表示デバイスを駆動して映像を表示させる駆動回路とを有する(何れも図示せず)。
【００３９】
住戸機制御部20は、CPUやメモリなどのハードウェアと、CPUで実行される種々のプログラム(ソフトウェア)とで構成される。入力受付部25は、タッチパネルや押釦スイッチなどの入力デバイスを有し、入力デバイスが操作されることで種々の操作入力を受け付けるとともに、それぞれの操作入力に応じた操作信号を住戸機制御部20に出力する。例えば、押釦スイッチからなる応答釦が押操作されると、入力受付部25で操作入力が受け付けられて応答の操作信号が出力される。住戸機制御部20では、入力受付部25から応答の操作信号が入力されると、ロビーインターホン１からの呼出に応答するための制御データを生成する。そして、住戸機制御部20で生成された制御データを含む制御信号が、通信部22から通信線63A(又は63B)，61A(又は61B)を介してロビーインターホン１に宛てて送信される。
【００４０】
通信部22は、住戸機制御部20で作成される制御データを含むパケット(制御パケット)を作成し、同じく住戸機制御部20から渡される音声データ(送話音声データ)を含むパケット(音声パケット)を作成する。さらに通信部22は、制御パケットや音声パケットを符号化するとともに符号化されたビット列を電気信号(制御信号、音声信号)に変換(変調)し、制御線及び通信線63A(又は63B)に流す。なお、通信部22は、制御信号を制御線に流し、音声信号を通信線63A(又は63B)に流す。
【００４１】
また通信部22は、制御線及び通信線63A(又は63B)に流れる電気信号をビット列に変換(復調)するとともに復調されたビット列からパケット(制御パケット及び映像パケット、音声パケット)を復号化する。ただし、通信部22は、復号化したパケットの宛先アドレスが自己のアドレスに一致しない場合は当該パケットを破棄し、一致する場合は当該パケットのデータフィールドに含まれるデータ(制御データ及び映像データ、音声データ)を復号化して住戸機制御部20に渡す。
【００４２】
受電部21は、電源線60A(又は60B)，62A(又は62B)を介して供給される電力(直流電力)を電力変換(直流−直流変換)して各部20，22〜26に動作用の電力を供給する。
【００４３】
ドアホン通信部26は、各住戸の外玄関に設置されるドアホン子機３と通信ケーブルを介して接続される。ドアホン子機３は従来周知であって、来訪者が操作する呼出釦や来訪者を撮影するための撮像素子、来訪者と通話するためのマイクロホン及びスピーカなどを備える。つまり、来訪者が呼出釦を操作すると通信ケーブルを介して呼出信号が送信され、ドアホン通信部26において呼出信号が受信される。また、ドアホン子機３のマイクロホンで集音された来訪者の音声、並びに撮像素子で撮像された映像が通信ケーブルを介してドアホン通信部26で受信される。さらに、住戸機制御部20から出力される音声データがアナログの音声信号に変換されてドアホン通信部26から通信ケーブルを介してドアホン子機３に送信される。その結果、住戸機2Aとドアホン子機３との間で通話(ドアホン通話)を行うことができる。ただし、住戸機2Aとドアホン子機３との間のドアホン通話については、従来周知であるから詳細な説明を省略する。なお、ドアホン子機３に対しては、住戸機2Aから通信ケーブルを介して電力が供給される。
【００４４】
ところで、本実施形態における住戸機２(2A，2B)は、ロビーインターホン１との通話(インターホン通話)及びドアホン通話における映像及び音声を記録(録画及び録音)するとともに、記憶した映像及び音声を再生する機能を有している。つまり、住戸機制御部20は、録画・録音モードに設定された場合、通信部22及び音声入手力部23、ドアホン通信部26から受け取る音声データ並びに映像データを圧縮して作成したデータファイルをメモリ(不揮発性の半導体メモリ)に記憶する。また、住戸機制御部20は、再生モードに設定された場合、メモリに記憶しているデータファイルを読み出すとともに当該データファイルのデータを伸長して元の音声データ及び映像データを取得する。そして、住戸機制御部20は、取得した音声データを音声入出力部23に出力してスピーカから音声(録音された音声)を鳴動させるとともに、取得した映像データを映像表示部24に出力して映像(録画された映像)を表示デバイスに表示させる。ただし、録画・録音モード及び再生モードの設定及び解除は、入力受付部25で受け付ける操作信号に応じて住戸機制御部20が行う。
【００４５】
ここで、ロビーインターホン１と同時にインターホン通話できる住戸機２(2A，2B)の台数は１台のみであるが、インターホン通話していない１乃至複数台の住戸機２(2A，2B)がドアホン通話や録画・録音あるいは録画・録音されたデータファイルの再生を同時に行う場合がある。そして、複数台のセンタ給電型の住戸機2Aが同時にインターホン通話やドアホン通話、データファイルの再生などの処理を実行した場合、給電装置(給電部11)の給電量が不足するとシステム全体が停止してしまう虞がある。そのため、センタ給電型の住戸機2Aの接続台数に上限が設定されており、１台の給電装置(ロビーインターホン１)に接続されるセンタ給電型の住戸機2Aの台数がその上限を超えないようにシステムが運用されなければならない。そのため、本実施形態における給電装置は、センタ給電型の住戸機2Aの接続台数を判別する機能を搭載している。
【００４６】
次に、図２のシーケンスチャートを参照して、本実施形態における給電装置がセンタ給電型の住戸機2Aの接続台数を判別する手順を説明する。
【００４７】
ロビーインターホン１の制御部10は、入力受付部15で接続台数判別のための操作入力が受け付けられると、通常の動作モードから接続台数判別モードに移行する。ただし、接続台数判別モードに移行するための条件は、入力受付部15が操作入力を受け付けることに限定されない。例えば、給電装置(ロビーインターホン１)が電源投入されることを条件としても構わない。あるいは、新設又は交換された新たな住戸機2A又は2Bからロビーインターホン１に通信が行われることを条件としても構わない。
【００４８】
制御部10は、接続台数判別モードに移行すると、一方の開閉器17Aをオン(閉成)するとともに他方の開閉器17Bをオフ(開成)した後、応答要求メッセージを含む制御信号を通信部12から全ての住戸機2A，2Bに対して一斉同報(ブロードキャスト)する。
【００４９】
通信部12から送信される制御信号は、各幹線ケーブル6A，6Bの通信線61A，61B及び各住戸ケーブルの通信線63A，63Bを介して住戸機2A，2Bに届く。しかしながら、開閉器17Bがオフしていることで幹線ケーブル6Bの電源線60Bを介した給電が停止しているので、幹線ケーブル6Bに接続されているセンタ給電型の住戸機2Aは動作していない。故に、通信部12から送信される制御信号は、幹線ケーブル6Aに接続されている住戸機2A，2B、並びに幹線ケーブル6Bに接続されているローカル給電型の住戸機2Bのみで受信され、幹線ケーブル6Bに接続されているセンタ給電型の住戸機2Aでは受信されない。
【００５０】
そして、制御信号を受信して応答要求メッセージを受け取った住戸機2A，2Bの住戸機制御部20は、応答メッセージを含む制御信号を生成し、通信部22からロビーインターホン１へ返信させる。
【００５１】
制御部10は、応答メッセージを受信した住戸機2A，2Bの台数Ｘをメモリに記録する。そして、２つの開閉器17A，17Bを双方ともオフした後、応答要求メッセージを含む制御信号を通信部12から全ての住戸機2A，2Bに対して一斉同報(ブロードキャスト)する。
【００５２】
通信部12から送信される制御信号は、各幹線ケーブル6A，6Bの通信線61A，61B及び各住戸ケーブルの通信線63A，63Bを介して住戸機2A，2Bに届く。しかしながら、２つの開閉器17A，17Bが双方ともオフしているので、全てのセンタ給電型の住戸機2Aは動作していない。故に、通信部12から送信される制御信号は、ローカル給電型の住戸機2Bのみで受信され、センタ給電型の住戸機2Aでは受信されない。
【００５３】
そして、制御信号を受信して応答要求メッセージを受け取ったローカル給電型の住戸機2Bの住戸機制御部20は、応答メッセージを含む制御信号を生成し、通信部22からロビーインターホン１へ返信させる。
【００５４】
制御部10は、応答メッセージを受信した住戸機2Bの台数Ｙをメモリに記録し、メモリに記録している台数Ｘから台数Ｙを減算する。ここで、台数Ｘは一方の幹線ケーブル6Aに接続されているセンタ給電型の住戸機2Aの台数と、全てのローカル給電型の住戸機2Bの台数との合計であり、台数Ｙは全てのローカル給電型の住戸機2Bの台数である。故に、台数Ｘから台数Ｙを減算することにより、一方の幹線ケーブル6Aに接続されているセンタ給電型の住戸機2Aの台数(＝Ｘ−Ｙ)を演算することができる。なお、制御部10は、演算した接続台数をメモリに格納することが好ましい。
【００５５】
続いて、制御部10は、一方の開閉器17Aをオフするとともに他方の開閉器17Bをオンした後、応答要求メッセージを含む制御信号を通信部12から全ての住戸機2A，2Bに対して一斉同報(ブロードキャスト)する。以下、制御部10は、同様の手順により、他方の幹線ケーブル6Bに接続されているセンタ給電型の住戸機2Aの台数を演算することができる。
【００５６】
上述のように本実施形態は、集合住宅の共用玄関に設置される共用玄関機(ロビーインターホン)１と、集合住宅の各住戸に設置されて共用玄関機１と複数系統の線路6A，6Bを介して接続される複数の住戸機2A，2Bとを有する。また、本実施形態は、線路6A，6Bを介して１乃至複数の住戸機2Aに給電する給電装置を有している。線路6A，6Bは、通信用の通信路61A，61Bと給電用の給電路60A，60Bを有している。複数の住戸機2A，2Bは、給電路60A，60Bを介して給電される電力で動作するセンタ給電型の住戸機2Aと、住戸に配電される電力で動作するローカル給電型の住戸機2Bとを含む。給電装置は、それぞれに１乃至複数のセンタ給電型の住戸機2Aが接続される複数系統の線路6A，6Bと接続され、線路6A，6Bに接続されているセンタ給電型の住戸機2Aの接続台数を、複数系統の線路6A，6B毎に判別する判別手段(制御部10)を備える。
【００５７】
したがって、本実施形態は、給電装置に、線路6A，6Bに接続されているセンタ給電型の住戸機2Aの接続台数を、複数系統の線路6A，6B毎に判別する判別手段(制御部10)を備えているので、センタ給電型の住戸機の接続台数を各系統毎に容易に確認可能となる。
【００５８】
また、判別手段(制御部10))は、給電路60A，60Bを介した給電中に通信路61A，61Bを介して通信可能な住戸機2A，2Bの台数Ｘと、給電路60A，60Bを介して給電していない非給電中に通信路61A，61Bを介して通信可能な住戸機2Bの台数Ｙとの差分からセンタ給電型の住戸機2Aの接続台数を演算するように構成される。そのため、制御信号のフレームフォーマットを変更せずに接続台数の確認を行うことができる。
【００５９】
なお、判別手段(制御部10)は、所定の条件が満たされた場合に接続台数の判別を行うように構成されることが好ましい。例えば、判別手段(制御部10)は、給電装置が電源投入されることを前記条件とするように構成されることが好ましい。これにより、接続台数の判別が自動的に実施されるため、接続台数の確認忘れが防止できる。
【００６０】
さらに、判別手段(制御部10)は、所定の操作入力を受け付けることを前記条件とするように構成されることが好ましい。これにより、接続台数の判別に伴う不要な動作が防止できる。
【００６１】
また、本実施形態は、給電装置が共用玄関機(ロビーインターホン１)と一体に構成されているので、給電装置の設置スペースが不要になったり、メンテナンス作業の作業性の向上が図れるなどの利点がある。
【００６２】
ところで、給電装置は、複数系統の線路6A，6Bの中の何れかの系統の線路6A，6Bにおいて、判別手段(制御部10)が判別した接続台数が所定台数を超えていることを報知する報知手段を備えることが好ましい。例えば、制御部10は、一方の線路6Aの接続台数が所定台数を超えていた場合、ロビーインターホン１の音声入出力部13のスピーカに報知音を鳴動させればよい。
【００６３】
あるいは、給電装置は、複数系統の線路6A，6Bの中の何れかの系統の線路6A，6Bにおいて、判別手段(制御部10)が判別した接続台数が所定台数を超えている場合、接続台数が所定台数を超えている線路6A又は6Bの給電路60A又は60Bへの給電を停止しても構わない。
【００６４】
ここで、判別手段(制御部10)は、給電路60A，60Bを介した給電中に、種別(センタ給電型とローカル給電型)を問い合わせるためのメッセージを通信路61A，61Bを介して一斉同報しても構わない。住戸機2A，2Bは、通信路61A，61Bを介して前記メッセージを受け取った場合、自らがローカル給電型とセンタ給電型の何れであるかを示す応答メッセージを通信路61A，61Bを介して給電装置に返信する。判別手段(制御部10)は、通信路61A，61Bを介して受け取る応答メッセージの内容(種別)に基づいてセンタ給電型の住戸機2Aの接続台数を判別するように構成されることが好ましい。
【００６５】
さらに、判別手段(制御部10)は、種別を問い合わせるための前記メッセージの一斉同報を前記系統毎に順番に行うように構成されることが好ましい。
【００６６】
上述のような構成とすれば、センタ給電型の住戸機2Aの接続台数が判別可能になるだけでなく、各住戸に設置されている住戸機２の種別を直接判別することができる。
【００６７】
ところで、給電装置(ロビーインターホン１)は、図３に示すように各系統の給電路60A，60Bに流れる電流を各別に計測する電流計測手段(電流計測部18)を備えることが好ましい。判別手段(制御部10)は、電流計測手段(電流計測部18)が計測する電流値が給電路60A，60Bにおける上限値を下回っている場合に接続台数の演算を行い、電流値が上限値以上の場合には前記接続台数の演算を行わないように構成されることが好ましい。
【００６８】
すなわち、電源線60A，60Bに接続されているセンタ給電型の住戸機2Aの台数が既に上限値に達していた場合、もはや、センタ給電型の住戸機2Aを新たに電源線60A，60Bに接続することはできない。そこで、上述のように制御部10が接続台数の判別を行う前に、電流計測部18で計測する電流値に基づいて接続台数が既に上限値に達しているか否かを確認すれば、接続台数判別モードの無駄な実行が回避できる。
【００６９】
なお、本実施形態では線路６の系統数を２としているが、３系統以上の線路６を有していても構わない。
【符号の説明】
【００７０】
１  ロビーインターホン(共用玄関機、給電装置)
2A  センタ給電型の住戸機
2B  ローカル給電型の住戸機
6A，6B  線路
10  制御部(判別手段)
11  給電部
60A，60B  電源線(給電路)
【図１】
2015032973.tif 000003
【図２】
2015032973.tif 000004
【図３】
2015032973.tif 000005